(57)【要約】【課題】  紙箱において、襠の幅を側壁の内部でも確保できるようにして強度の保持と体裁の良さを確保する。【解決手段】  底壁の四辺に長側壁と短側壁とを延設し、長側壁と短側壁を立ち上げて箱とした紙箱において、長側壁を外方に向かって第一長側壁、長襠、第二長側壁、襠幅保持片が連続したものにするとともに、第一長側壁と第二長側壁の長手方向の両端に短側壁取付片を連続させたものにし、かつ、短側壁を外方に向かって第一短側壁、短襠、第二短側壁が連続したものにし、襠幅保持片、第二長側壁、長襠の順で内側に折り込んで第一長側壁を立ち上げて短側壁取付片を内側に折り込み、第一短側壁を短側壁取付片に沿わせて立ち上げて短襠を折り込んで第二短側壁で短側壁取付片を包み込むように折り返して箱としたことを特徴とする紙箱。【選択図】  図１
2006008174.tif 000002
【特許請求の範囲】
【請求項１】
底壁の四辺に長側壁と短側壁とを延設し、長側壁と短側壁を立ち上げて箱とした紙箱において、長側壁を外方に向かって第一長側壁、長襠、第二長側壁、襠幅保持片が連続したものにするとともに、第一長側壁と第二長側壁の長手方向の両端に短側壁取付片を連続させたものにし、かつ、短側壁を外方に向かって第一短側壁、短襠、第二短側壁が連続したものにし、襠幅保持片、第二長側壁、長襠の順で内側に折り込んで第一長側壁を立ち上げて短側壁取付片を内側に折り込み、第一短側壁を短側壁取付片に沿わせて立ち上げて短襠を折り込んで第二短側壁で短側壁取付片を包み込むように折り返して箱としたことを特徴とする紙箱。
【請求項２】
長側壁の襠幅保持片を複数の片とした請求項１の紙箱。
【請求項３】
長側壁の第一長側壁、襠幅保持片の上面に糊を塗布するとともに、短側壁の第一短側壁、第二短側壁の上面に糊を塗布し、長側壁及び短側壁を立ち上げたときにそれぞれ相手方に接着させる請求項１の紙箱。
【請求項４】
短側壁の第二短側壁の外方にも襠幅保持片を一つ又は複数形成し、その上面に糊を塗布した請求項３の紙箱。
【請求項５】
請求項１〜４いずれか１項の紙箱を製造する製函方法であり、長側壁の立ち上げまでを底壁を長手方向に移動させながら行い、多側壁取付片の折込みと短側壁の立上げ及び折返しを底壁を短手方向に移動させながら行うことを特徴とする紙箱の製函方法。
【請求項６】
移動が連続的又は間欠的に行われる請求項５の紙箱の製函方法。
【発明の詳細な説明】
【技術分野】
【０００１】
本発明は、菓子等を収容する直方体をした紙箱及びこの紙箱の製函方法に関するものである。
【背景技術】
【０００２】
厚紙や段ボール紙を用いて直方体にした紙箱は、菓子、食料品、石鹸、玩具等のあらゆる物を収容する包装箱として用いられている。これらの紙箱は、底壁と長側壁及び短側壁から構成されるが、製造（製函）に際しては、底壁と長側壁及び短側壁を展開した形状にして打ち抜き（トムソン加工）、長側壁及び短側壁を立ち上げて箱としていた。この場合、側壁の部分に厚みを持たせると、紙箱は強度的に強いとともに、豪華にも見える。
【０００３】
しかし、紙厚をあまり厚くするのは加工に難があるし、重量、コストとも増大して好ましくない。このため、下記特許文献１にも見られるように、展開した側壁部分を複数の片にしてその間に襠（まち）と呼ばれる幅形成体を挿設し、折り込んだときに側壁の上辺を形成する襠の幅が側壁の厚みとなるようにしたものがある。この場合、襠の幅は側壁を二枚合わせた厚みよりは更に大きくして側壁の幅をより厚くしているのが通常である。したがって、側壁の内部は空いており、強度的に弱いとともに、体裁も悪い。
【特許文献１】特開２００１−３０３８１号公報
【発明の開示】
【発明が解決しようとする課題】
【０００４】
本発明が解決しようとする課題は、襠の幅を側壁の内部でも確保できるようにして強度の保持と体裁の良さを達成しようとするものである。
【課題を解決するための手段】
【０００５】
以上の課題の下、本発明は、請求項１に記載した、底壁の四辺に長側壁と短側壁とを延設し、長側壁と短側壁を立ち上げて箱とした紙箱において、長側壁を外方に向かって第一長側壁、長襠、第二長側壁、襠幅保持片が連続したものにするとともに、第一長側壁と第二長側壁の長手方向の両端に短側壁取付片を連続させたものにし、かつ、短側壁を外方に向かって第一短側壁、短襠、第二短側壁が連続したものにし、襠幅保持片、第二長側壁、長襠の順で内側に折り込んで第一長側壁を立ち上げて短側壁取付片を内側に折り込み、第一短側壁を短側壁取付片に沿わせて立ち上げて短襠を折り込んで第二短側壁で短側壁取付片を包み込むように折り返して箱としたことを特徴とする紙箱を提供する。
【０００６】
併せて、本発明は、以上の紙箱を製函する製函方法として、請求項５に記載した、長側壁の立ち上げまでを底壁を長手方向に移動させながら行い、多側壁取付片の折込みと短側壁の立上げ及び折返しを底壁を短手方向に移動させながら行うことを特徴とする紙箱の製函方法を提供する。
【発明の効果】
【０００７】
請求項１の発明によれば、長側壁及び短側壁の上辺は長襠及び短襠によって所定の幅（襠）が確保されるが、長側壁を構成する第一長側壁と第二長側壁との間には襠幅保持片が存在するため、襠幅保持片をこの隙間の幅と同じにすることで、長側壁には襠の幅が保持され、強度の保持と体裁の良さを確保できる。また、請求項５の発明によれば、これら紙箱の製函を従来の製函機で自動的にできる。
【発明を実施するための最良の形態】
【０００８】
以下、本発明の実施の形態を図面を参照して説明する。図１は直方体形状の紙箱（身）の斜視図であるが、紙箱Ａは、側壁１の四辺周囲に長側壁２と短側壁３とを起立させ、これら側壁２、３を固定して上方が開口した直方体形状としたものである。これら紙箱Ａを製函するには、通常、一枚の紙から側壁１の四辺に長側壁１と短側壁３とを連続させて展開した形状に打ち抜き（トムソン加工）、長側壁２及び短側壁３を起して箱に形成する。この製函は人手によることもあるが、紙箱Ａをコンベア等で移動させ、この間に器具によって折込みや起立を行う製函機ですることが多い。
【０００９】
図２はこの展開した形状の紙箱Ａの平面図であるが、本発明の紙箱Ａでは、中央に底壁１を配置し、その長辺側には、長側壁２として、外方に向かって順次、第一長側壁４、長襠５、第二長側壁６、襠幅保持片７を形成するとともに、第一長側壁４と第二長側壁６のそれぞれ長手方向端部には、短側壁取付片８、９を形成する。そして、各々の境界には、折り線となる折溝１０‥、１１‥を形成する。一方、短辺側には短側壁３として、外方に向かって順次、第一短側壁１２、短襠１３、第二短側壁１４を形成し、各々の境界には、折溝１５‥を形成する。
【００１０】
以上の長側壁２と短側壁３とを底壁１に対して９０°立ち上がらせて箱にするのであるが、それには、まず、第一長側壁４の上面と襠幅保持片７の上面に長手方向ほぼ全域に亘って糊１６を帯状に塗布する。一方、第一短側壁１２の中央の両端側の上面には点状に、第二短側壁１４の外方部分のほぼ全域の上面には帯状に糊１６を塗布する。
【００１１】
図２〜図７は展開したものから紙箱Ａを製作するまでの各工程における紙箱Ａの平面図であるが、まず、展開したもの（図２）から、襠幅保持片７を折溝１０の部分で内方に折り込んで第二長側壁６の上に重ねて糊１６で接着する（図３）。次いで、長襠５の内外の折溝１０をそれぞれ内側に折り、襠幅保持片７が重なった第二長側壁６を第一長側壁４の上に重ねて糊１６で接着する（図４）。この状態のときには、第一長側壁４の糊１６は襠幅保持片７の裏面に接着されるとともに、第一長側壁４に設けられた短側壁取付片８と第二長側壁６に設けられた短側壁取付片９は重なった状態になる。
【００１２】
次に、底壁１と第一長側壁４との境界の折溝１０を内側に折って第一長側壁４を９０°起立させるとともに、二枚の短側壁取付片８、９をそれぞれ折溝１１で内側に折り込む（図５）。これが終了すると、第一短側壁１２を折溝１５で内側に折って９０°起立させ、その表面を短側壁取付片９の裏面に糊１６で接着する（図６）。次いで、短襠１３の内外の折溝１５をそれぞれ内側に折り、第二短側壁１４で二枚の短側壁取付片８、９を包み込むように９０°折り返して内側の短側壁取付片９と糊１６で接着すれば、紙箱Ａが完成する（図７）。なお、以上は、糊１６を用いて長側壁２と短側壁３を固定する例であるが、ホッチキスのような機械的方法で固定してもよい。
【００１３】
この完成した紙箱Ａは、長襠５と短襠１３とが側壁の上辺を形成するから、その幅が側壁の厚さとなり、これらの寸法を調整することで側壁の厚さを自由に調整できる。この場合、強度的にも弱くて長い長側壁２については、襠幅をある程度大きくすると、第一長側壁４と第二長側壁６との間に隙間が空くが、隙間の下方部分には、襠幅保持片７が存在するから、これがその隙間を埋め、強度を確保するとともに、体裁の悪さを解消する。
【００１４】
なお、襠幅保持片７の厚さ、すなわち、紙厚がこの隙間より少々薄くても、長側壁２の強度確保や不体裁の修正にはあまり関係ない。ただし、理想をいえば、襠幅は、紙の一枚分の紙厚とするのが好ましい。図８は長側壁２の断面図であるが、このように、襠幅と紙厚を同じにすると、長側壁２は全丈に亘って長襠５と同じ厚みになる。ただし、実際には、襠幅と紙厚は厳格に一致させる必要はない。なお、本例では、襠幅保持片７が下方部分にのみ存在しているが、上辺は長襠５で強度が確保されているから、襠幅保持片７はこの程度であっても強度的にはそれほど問題はない。もちろん、襠幅保持片７の長さは自由に調整できる。
【００１５】
図９は他の例を示す長側壁２の断面図であるが、本例のものは、襠幅が大きい場合に対処するために、襠幅保持片７を複数（継ぎ足して）形成したものである。これにおいて、襠幅保持片７の境目には折溝１０を形成して、製函時に折り込むことになる。なお、継ぎ足した襠幅保持片７の高さは必ずしも同じにする必要はないし、襠幅保持片７同士を糊１６で接着してもよい。このようにすることで、襠幅を相当大きなものにできる。
【００１６】
ところで、上記の例では、襠幅保持片７は、長側壁２側にのみ設けたが、これは、短側壁３側では、第一短側壁１２と第二短側壁１４とで二枚の短側壁取付片８、９を挟むことによってその厚みを確保できるからである。なお、これでは厚みが足らない場合には、短側壁側にも襠幅保持片を形成すればよい。この場合、短側壁取付片８、９の長さは、両側のものを二つ合わせたときに、短側壁３の長さに近くなるようにするのが、間の無存在部分を小さくできて好ましいといえる。
【００１７】
以上の紙箱Ａは、従来の製函機で自動的に製函できる。すなわち、図示は省略するが、トムソン加工した紙箱Ａをコンベア等に載せ、長側壁２の折込みまでは、紙箱Ａを底壁１の長手方向に移動させればよい。そして、目的とする折込み、立上げを行う器具・アームを適宜コンベアの両側に配置し、それぞれの工程によってこれらを作動させて所定の折込み、立上げをさせればよい。なお、これらの器具は、従来の製函機で用いられているものをそのまま或いは適宜改良して用いればよい。
【００１８】
次に、短側壁取付片８、９と短側壁３の折込み、立上げに際しては、紙箱Ａを底壁１の短手方向に動かし、同様の器具で操作をさせればよい。なお、糊付けも行う必要があるが、これもコンベア上に糊付け用の器具・アームを設置してこれを作動させればよい。ところで、これらの各操作は、コンベアを連続的に動かして行うものもあるし、間欠的に動かして行うものがあるが、そのいずれであってもよい。
【図面の簡単な説明】
【００１９】
【図１】本発明の紙箱の斜視図である。
【図２】本発明の紙箱を製函する工程における紙箱の平面図である。
【図３】本発明の紙箱を製函する工程における紙箱の平面図である。
【図４】本発明の紙箱を製函する工程における紙箱の平面図である。
【図５】本発明の紙箱を製函する工程における紙箱の平面図である。
【図６】本発明の紙箱を製函する工程における紙箱の平面図である。
【図７】本発明の紙箱を製函する工程における紙箱の平面図である。
【図８】本発明の紙箱の長側壁の断面図である。
【図９】本発明の紙箱の長側壁の断面図である。
【符号の説明】
【００２０】
Ａ    紙箱
１    底壁
２    長側壁
３    短側壁
４    第一長側壁
５    長襠
６    第二長側壁
７    襠幅保持片
８    短側壁取付片
９    短側壁取付片
１０  折溝
１１  折溝
１２  第一短側壁
１３  短襠
１４  第二短側壁
１５  折溝
１６  糊
【図１】
2006008174.tif 000003
【図２】
2006008174.tif 000004
【図３】
2006008174.tif 000005
【図４】
2006008174.tif 000006
【図５】
2006008174.tif 000007
【図６】
2006008174.tif 000008
【図７】
2006008174.tif 000009
【図８】
2006008174.tif 000010
【図９】
2006008174.tif 000011